(57)【要約】【課題】選択されたＲＦＩＤタグを目視で感知することが可能なＲＦＩＤタグ感知システム及び感知用発光タグの提供。【解決手段】ＲＦＩＤタグ感知システムＳは、ＲＦＩＤタグ１とリーダ／ライタ２と感知用発光タグ３とから構成される。感知用発光タグ３の発光用タグアンテナ３０がＲＦＩＤタグ用アンテナ１０との電磁結合で自タグの選択可の信号を受け取る。タグ選択感知手段が受け取った自タグの選択可の信号によりＲＦＩＤタグ１がリーダ／ライタ２により選択されたことを検知する。受光手段がリーダ／ライタ２から照射された光を受光する。光―電気変換手段が受光した光を電気エネルギーに変換する。ＲＦＩＤタグ１が自タグの選択可の信号を送信したとき、発光手段を電気エネルギーを用いて発光させることができる。【選択図】図１
2010266470.tif 000002
【特許請求の範囲】
【請求項１】
ＲＦＩＤタグと、前記ＲＦＩＤタグからのデータの読み出し及び前記ＲＦＩＤタグへのデータの書き込みを行うリーダ／ライタと、前記ＲＦＩＤタグが前記リーダ／ライタにより選択されたことを感知して発光する感知用発光タグとから構成され、前記リーダ／ライタにて選択されたＲＦＩＤタグを目視で感知可能にするシステムであって、
前記ＲＦＩＤタグは、リーダ／ライタからの送信電波の受信及びリーダ／ライタへの反射電波の送信を行うＲＦＩＤタグ用アンテナと、ＲＦＩＤタグ固有の識別情報が格納されたＲＦＩＤチップとを備え、リーダ／ライタからの送信電波に対して自タグの選択可の信号を送信し、そして、前記リーダ／ライタは、ＲＦＩＤタグへのタグ選択電波の送信及びＲＦＩＤタグからの反射電波の受信を行うリーダ／ライタ用アンテナと、前記感知用発光タグに光を照射する光照射手段と、光の照射の制御を行う光照射制御手段とを備えており、前記感知用発光タグは、前記ＲＦＩＤタグ用アンテナとの電磁結合で自タグの選択可の
信号を受け取る発光タグ用アンテナと、受け取った自タグの選択可の信号によりＲＦＩＤタグがリーダ／ライタにより選択されたことを検知するタグ選択感知手段と、前記リーダ／ライタから照射された光を受光する受光手段と、受光した光を電気エネルギーに変換する光−電気変換手段と、ＲＦＩＤタグが自タグの選択可の信号を送信したとき、電気エネルギーを用いて発光する発光手段とを備えたことを特徴とするＲＦＩＤタグ感知システム。
【請求項２】
上記ＲＦＩＤタグと上記感知用発光タグとは、分離可能に取付けられている請求項１に記載のＲＦＩＤタグ感知システム。
【請求項３】
上記ＲＦＩＤタグのＲＦＩＤタグ用アンテナと上記感知用発光タグの発光タグ用アンテナとを重ね合わせることにより、前記ＲＦＩＤタグと前記感知用発光タグとの電磁結合が行われている請求項１に記載のＲＦＩＤタグ感知システム。
【請求項４】
上記ＲＦＩＤタグと上記感知用発光タグとは、アンテナ部分で接続されている請求項１に記載のＲＦＩＤタグ感知システム。
【請求項５】
上記リーダ／ライタは、感知用発光タグに照射する光にレーザ光を用いる請求項１に記載のＲＦＩＤタグ感知システム。
【請求項６】
上記リーダ／ライタは、感知用発光タグに照射するレーザ光の代わりに赤外線を用いる請求項１または５に記載のＲＦＩＤタグ感知システム。
【請求項７】
上記リーダ／ライタは、光照射を面内で走査する光照射走査手段を備えている請求項１に記載のＲＦＩＤタグ感知システム。
【請求項８】
上記リーダ／ライタは、上記ＲＦＩＤタグが貼着されている製品にバーコードも貼り付けられている場合、感知用発光タグにレーザ光を照射するレーザ光発生装置と前記バーコードを読み取るバーコードリーダのレーザ光発生装置とを兼用する請求項１に記載のＲＦＩＤタグ感知システム。
【請求項９】
上記リーダ／ライタと上記感知用発光タグにレーザ光を照射する上記レーザ光発生装置とは、別体とされている請求項８に記載のＲＦＩＤタグ感知システム。
【請求項１０】
上記感知用発光タグは、ＲＦＩＤタグがリーダ／ライタにより選択されたことを表示する液晶素子を備えている請求項１に記載のＲＦＩＤタグ感知システム。
【請求項１１】
上記リーダ／ライタは、照射するレーザ光を変調する手段を備えており、上記感知用発光タグは、発光素子と、レーザ光と他の光とを区別する手段と、前記発光素子の発光を制御する手段とを備えている請求項１に記載のＲＦＩＤタグ感知システム。
【請求項１２】
上記感知用発光タグは、検知機器に応答する場合、発光素子の発光と同時に検知用電波を出力する手段を備えている請求項１に記載のＲＦＩＤタグ感知システム。
【請求項１３】
上記感知用発光タグは、ＲＦＩＤタグがリーダ／ライタにより選択されたことを記憶する手段と、リーダ／ライタがレーザ光を照射した時、前記記憶に従って発光素子の発光を制御する手段とを備えている請求項１に記載のＲＦＩＤタグ感知システム。
【請求項１４】
上記感知用発光タグは、ＲＦＩＤタグがリーダ／ライタにより選択されたことの記憶を行うか行わないかを、照射するレーザ光の変調情報に従って行うことが可能な手段を有する請求項１３に記載のＲＦＩＤタグ感知システム。
【請求項１５】
上記感知用発光タグは、ＲＦＩＤタグがリーダ／ライタにより選択されたことの記憶を
呼び出し／消去する手段を備えている請求項１または１３に記載のＲＦＩＤタグ感知システム。
【請求項１６】
上記感知用発光タグは、発光した光あるいは受光した光を光ファイバで任意の位置に導く請求項１に記載のＲＦＩＤタグ感知システム。
【請求項１７】
ＲＦＩＤタグのＲＦＩＤタグ用アンテナとの電磁結合で自タグの選択可の信号を受け取る発光タグ用アンテナと、受け取った自タグの選択可の信号によりＲＦＩＤタグがリーダ／ライタにより選択されたことを検知するタグ選択感知手段と、リーダ／ライタから照射された光を受光する受光手段と、受光した光を電気エネルギーに変換する光−電気変換手段と、ＲＦＩＤタグが自タグの選択可の信号を送信したとき、電気エネルギーを用いて発光する発光手段とを備えたことを特徴とする感知用発光タグ。
【発明の詳細な説明】
【技術分野】
【０００１】
本発明は、リーダ／ライタにより選択されたＲＦＩＤ（Ｒａｄｉｏ  Ｆｒｅｑｕｅｎｃｙ  Ｉｄｅｎｔｉｆｉｃａｔｉｏｎ）タグを目視で感知可能にするＲＦＩＤタグ感知システム及び感知用発光タグに関するものである。
【背景技術】
【０００２】
無線ＩＣタグは、離れた所からタグ情報を読み取ることができるという利点があるが、リードした無線ＩＣタグがどれかという識別を確実に行うには、無線ＩＣタグ近くで読み取りを行う必要があり、この点が無線ＩＣタグを倉庫管理などに適用するには工数低減のネックとなっており、特に、電波の拡散の大きいＵＨＦ帯では重要な問題である。
【０００３】
従来、発振装置と、探索対象物毎に取り付けられるタグとを有し、探索対象物を探索する探索システムにおいて、発振装置は、電磁波を放射する電磁波放射手段を備え、タグは、発振装置から放射される電磁波が所定周波数を有する場合に電磁誘導により共振する共振回路と、共振回路が共振した場合に供給される起電力により起動し、探索者に対して所定の通知を行う通知手段とを備えた探索システムが特許文献１に開示されている。
【０００４】
また、ＲＦＩＤタグの発信する電波を受信するためのアンテナと、アンテナが受信した電波の電波強度を検出する電波強度検出手段と、電波強度検出手段の検出した電波強度に基づいて、電波強度が極大値を示したことを検知する極大値検知手段と、極大値検知手段が電波強度の極大値を検知したことを通知する通知手段とを備えたＲＦＩＤタグ探索装置が特許文献２に開示されている。
【先行技術文献】
【特許文献】
【０００５】
【特許文献１】特開２００４−１０１４８３号公報
【特許文献２】特開２００４−３５４３５１号公報
【発明の概要】
【発明が解決しようとする課題】
【０００６】
ところが、特許文献１に開示されたものは、タグの発する光，音により識別するので、タグが高価となった。
【０００７】
また、特許文献２に開示されたものでは、電波の強度をもとに位置情報を求めてＲＦＩＤタグを識別するため、作業性が悪く、精度が悪かった。
【０００８】
そこで、本発明の目的は、上記の事情に鑑みてなされたものであって、ＲＦＩＤタグのＲＦＩＤタグ用アンテナと電磁結合している発光タグ用アンテナを持つ感知用発光タグを設け、ＲＦＩＤタグがリーダ／ライタにより選択されてレスポンス状態になったことを発光タグ用アンテナを通して感知用発光タグのタグ選択感知手段で検知すると共に、リーダ／ライタの光照射手段より感知用発光タグに光を照射し、この光を感知用発光タグ内の光−電気変換手段で電気エネルギーに変換させ、ＲＦＩＤタグが自タグの選択可の信号を送信したとき、この電気エネルギーを用いて、選択されたＲＦＩＤタグのみに電磁結合した
感知用発光タグの発光手段を発光させ、選択されたＲＦＩＤタグを目視で感知することが可能なＲＦＩＤタグ感知システム及び感知用発光タグを提供することにある。
【課題を解決するための手段】
【０００９】
本発明のＲＦＩＤタグ感知システムは、ＲＦＩＤタグと、前記ＲＦＩＤタグからのデータの読み出し及び前記ＲＦＩＤタグへのデータの書き込みを行うリーダ／ライタと、前記ＲＦＩＤタグが前記リーダ／ライタにより選択されたことを感知して発光する感知用発光タグとから構成され、前記リーダ／ライタにて選択されたＲＦＩＤタグを目視で感知可能にするシステムであって、前記ＲＦＩＤタグが、リーダ／ライタからの送信電波の受信及びリーダ／ライタへの反射電波の送信を行うＲＦＩＤタグ用アンテナと、ＲＦＩＤタグ固有の識別情報が格納されたＲＦＩＤチップとを備え、リーダ／ライタからの送信電波に対して自タグの選択可の信号を送信し、そして、前記リーダ／ライタが、ＲＦＩＤタグへのタグ選択電波の送信及びＲＦＩＤタグからの反射電波の受信を行うリーダ／ライタ用アンテナと、前記感知用発光タグに光を照射する光照射手段と、光の照射の制御を行う光照射制御手段とを備えており、前記感知用発光タグが、前記ＲＦＩＤタグ用アンテナとの電磁結合で自タグの選択可の信号を受け取る発光タグ用アンテナと、受け取った自タグの選択可の信号によりＲＦＩＤタグがリーダ／ライタにより選択されたことを検知するタグ選択感知手段と、前記リーダ／ライタから照射された光を受光する受光手段と、受光した光を電気エネルギーに変換する光−電気変換手段と、ＲＦＩＤタグが自タグの選択可の信号を送信したとき、電気エネルギーを用いて発光する発光手段とを備えたことを特徴とする構成を有するものである。
【００１０】
本発明のＲＦＩＤタグ感知システムは、上記ＲＦＩＤタグと上記感知用発光タグとが、分離可能に取付けられている。
【００１１】
本発明のＲＦＩＤタグ感知システムは、上記ＲＦＩＤタグのＲＦＩＤタグ用アンテナと上記感知用発光タグの発光タグ用アンテナとを重ね合わせることにより、前記ＲＦＩＤタグと前記感知用発光タグとの電磁結合が行われている。
【００１２】
本発明のＲＦＩＤタグ感知システムは、上記ＲＦＩＤタグと上記感知用発光タグとが、アンテナ部分で接続されている。
【００１３】
本発明のＲＦＩＤタグ感知システムは、上記リーダ／ライタが、感知用発光タグに照射する光にレーザ光を用いる。
【００１４】
本発明のＲＦＩＤタグ感知システムは、上記リーダ／ライタが、感知用発光タグに照射するレーザ光の代わりに赤外線を用いる。
【００１５】
本発明のＲＦＩＤタグ感知システムは、上記リーダ／ライタが、光照射を面内で走査する光照射走査手段を備えている。
【００１６】
本発明のＲＦＩＤタグ感知システムは、上記リーダ／ライタが、上記ＲＦＩＤタグが貼着されている製品にバーコードも貼り付けられている場合、感知用発光タグにレーザ光を照射するレーザ光発生装置と前記バーコードを読み取るバーコードリーダのレーザ光発生装置とを兼用するようになっている。
【００１７】
本発明のＲＦＩＤタグ感知システムは、上記リーダ／ライタと上記感知用発光タグにレーザ光を照射する上記レーザ光発生装置とが、別体とされている。
【００１８】
本発明のＲＦＩＤタグ感知システムは、上記感知用発光タグが、ＲＦＩＤタグがリーダ／ライタにより選択されたことを表示する液晶素子を備えている。
【００１９】
本発明のＲＦＩＤタグ感知システムは、上記リーダ／ライタが、照射するレーザ光を変調する手段を備えており、上記感知用発光タグが、発光素子と、レーザ光と他の光とを区別する手段と、前記発光素子の発光を制御する手段とを備えている。
【００２０】
本発明のＲＦＩＤタグ感知システムは、上記感知用発光タグが、検知機器に応答する場合、発光素子の発光と同時に検知用電波を出力する手段を備えている。
【００２１】
本発明のＲＦＩＤタグ感知システムは、上記感知用発光タグが、ＲＦＩＤタグがリーダ／ライタにより選択されたことを記憶する手段と、リーダ／ライタがレーザ光を照射した時、前記記憶に従って発光素子の発光を制御する手段とを備えている。
【００２２】
本発明のＲＦＩＤタグ感知システムは、上記感知用発光タグが、ＲＦＩＤタグがリーダ／ライタにより選択されたことの記憶を行うか行わないかを、照射するレーザ光の変調情報に従って行うことが可能な手段を有する。
【００２３】
本発明のＲＦＩＤタグ感知システムは、上記感知用発光タグが、ＲＦＩＤタグがリーダ／ライタにより選択されたことの記憶を呼び出し／消去する手段を備えている。
【００２４】
本発明のＲＦＩＤタグ感知システムは、上記感知用発光タグが、発光した光あるいは受光した光を光ファイバで任意の位置に導くようになっている。
【００２５】
本発明の感知用発光タグは、ＲＦＩＤタグのＲＦＩＤタグ用アンテナとの電磁結合で自タグの選択可の信号を受け取る発光タグ用アンテナと、受け取った自タグの選択可の信号によりＲＦＩＤタグがリーダ／ライタにより選択されたことを検知するタグ選択感知手段と、リーダ／ライタから照射された光を受光する受光手段と、受光した光を電気エネルギーに変換する光−電気変換手段と、ＲＦＩＤタグが自タグの選択可の信号を送信したとき、電気エネルギーを用いて発光する発光手段とを備えたことを特徴とする構成を有するものである。
【発明の効果】
【００２６】
以上に述べたように、本発明によれば、ＲＦＩＤタグのＲＦＩＤタグ用アンテナと電磁結合している発光タグ用アンテナを持つ感知用発光タグを設け、ＲＦＩＤタグがリーダ／ライタにより選択されてレスポンス状態になったことを発光タグ用アンテナを通して感知用発光タグのタグ選択感知手段で検知すると共に、リーダ／ライタの光照射手段より感知用発光タグに光を照射し、この光を感知用発光タグ内の光−電気変換手段で電気エネルギーに変換させ、ＲＦＩＤタグが自タグの選択可の信号を送信したとき、この電気エネルギーを用いて、選択されたＲＦＩＤタグのみに電磁結合した感知用発光タグの発光手段を発光させ、選択されたＲＦＩＤタグを目視で感知することが可能なＲＦＩＤタグ感知システム及び感知用発光タグを得ることができる。
【図面の簡単な説明】
【００２７】
【図１】本発明の実施例に係るＲＦＩＤタグ感知システムを示す構成図。
【図２】本発明の実施例に係るＲＦＩＤタグ感知システムの構成を示すブロック図。
【図３】本発明の実施例に係るＲＦＩＤタグ感知システムにおける感知用発光タグの発光の原理を説明する発光原理説明図。
【図４】本発明の実施例に係るＲＦＩＤタグ感知システムにおけるリーダ／ライタによるＲＦＩＤタグの選択状態を示す説明図。
【発明を実施するための形態】
【００２８】
以下、本発明を実施するための最良の形態を図面を参照して詳細に説明する。
【実施例】
【００２９】
本発明のＲＦＩＤタグ感知システムＳは、ＲＦＩＤタグ１と、ＲＦＩＤタグ１からのデータの読み出し及びＲＦＩＤタグ１へのデータの書き込みを行うリーダ／ライタ２と、ＲＦＩＤタグ１がリーダ／ライタ２により選択されたことを感知して発光する感知用発光タグ３とから構成され、リーダ／ライタ２にて選択されたＲＦＩＤタグ１を目視で感知可能にするシステムである。
【００３０】
本発明のＲＦＩＤタグ感知システムＳは、ＲＦＩＤタグ１が、リーダ／ライタ２からの送信電波の受信及びリーダ／ライタ２への反射電波の送信を行うＲＦＩＤタグ用アンテナ１０と、ＲＦＩＤタグ固有の識別情報が格納されたＲＦＩＤチップ１１とを備えている。
【００３１】
本発明のＲＦＩＤタグ感知システムＳは、ＲＦＩＤタグ１が、リーダ／ライタ２からの送信電波に対して自タグの選択可の信号を送信するようになっている。
【００３２】
本発明のＲＦＩＤタグ感知システムＳは、リーダ／ライタ２が、ＲＦＩＤタグ１へのタグ選択電波の送信及びＲＦＩＤタグ１からの反射電波の受信を行うリーダ／ライタ用アンテナ２０と、感知用発光タグ３に光を照射する光照射手段と、光の照射の制御を行う光照射制御手段とを備えている。
【００３３】
本発明のＲＦＩＤタグ感知システムＳは、感知用発光タグ３が、ＲＦＩＤタグ用アンテナ１０との電磁結合で自タグの選択可の信号を受け取る発光タグ用アンテナ３０と、受け取った自タグの選択可の信号によりＲＦＩＤタグ１がリーダ／ライタ２により選択されたことを検知するタグ選択感知手段と、リーダ／ライタ２から照射された光を受光する受光手段と、受光した光を電気エネルギーに変換する光−電気変換手段と、ＲＦＩＤタグ１が自タグの選択可の信号を送信したとき、電気エネルギーを用いて発光する発光手段とを備えている。
【００３４】
本発明のＲＦＩＤタグ感知システムＳは、ＲＦＩＤタグ１と感知用発光タグ３とが、分離可能に取付けられている。
【００３５】
本発明のＲＦＩＤタグ感知システムＳは、ＲＦＩＤタグ１のＲＦＩＤタグ用アンテナ１０と感知用発光タグ３の発光タグ用アンテナ３０とを重ね合わせることにより、ＲＦＩＤタグ１と感知用発光タグ３との電磁結合が行われている。
【００３６】
本発明のＲＦＩＤタグ感知システムＳは、ＲＦＩＤタグ１と感知用発光タグ３とが、アンテナ部分で接続されている。
【００３７】
本発明のＲＦＩＤタグ感知システムＳは、リーダ／ライタ２が、感知用発光タグ３に照射する光にレーザ光を用いる。
【００３８】
本発明のＲＦＩＤタグ感知システムＳは、リーダ／ライタ２が、感知用発光タグ３に照射するレーザ光の代わりに赤外線を用いる。
【００３９】
本発明のＲＦＩＤタグ感知システムＳは、リーダ／ライタ２が、光照射を面内で走査する光照射走査手段を備えている。
【００４０】
本発明のＲＦＩＤタグ感知システムＳは、リーダ／ライタ２が、ＲＦＩＤタグ１が貼着されている製品にバーコードも貼り付けられている場合、感知用発光タグ３にレーザ光を照射するレーザ光発生装置とバーコードを読み取るバーコードリーダのレーザ光発生装置とを兼用するようになっている。
【００４１】
本発明のＲＦＩＤタグ感知システムＳは、リーダ／ライタ２と感知用発光タグ３にレーザ光を照射するレーザ光発生装置とが、別体とされている。
【００４２】
本発明のＲＦＩＤタグ感知システムＳは、感知用発光タグ３が、ＲＦＩＤタグ１がリーダ／ライタ２により選択されたことを表示する液晶素子を備えている。
【００４３】
本発明のＲＦＩＤタグ感知システムＳは、リーダ／ライタ２が、照射するレーザ光を変調する手段を備えており、感知用発光タグ３が、発光素子３１と、レーザ光と他の光とを区別する手段と、発光素子３１の発光を制御する手段とを備えている。
【００４４】
本発明のＲＦＩＤタグ感知システムＳは、感知用発光タグ３が、検知機器に応答する場合、発光素子３１の発光と同時に検知用電波を出力する手段を備えている。
【００４５】
本発明のＲＦＩＤタグ感知システムＳは、感知用発光タグ３が、ＲＦＩＤタグ１がリーダ／ライタ２により選択されたことを記憶する手段と、リーダ／ライタ２がレーザ光を照射した時、記憶に従って発光素子３１の発光を制御する手段とを備えている。
【００４６】
本発明のＲＦＩＤタグ感知システムＳは、感知用発光タグ３が、ＲＦＩＤタグ１がリーダ／ライタ２により選択されたことの記憶を行うか行わないかを、照射するレーザ光の変調情報に従って行うことが可能な手段を有している。
【００４７】
本発明のＲＦＩＤタグ感知システムＳは、感知用発光タグ３が、ＲＦＩＤタグ１がリーダ／ライタ２により選択されたことの記憶を呼び出し／消去する手段を備えている。
【００４８】
本発明のＲＦＩＤタグ感知システムＳは、感知用発光タグ３が、発光した光あるいは受光した光を光ファイバで任意の位置に導くようになっている。
【００４９】
本発明の感知用発光タグは、ＲＦＩＤタグ１のＲＦＩＤタグ用アンテナ１０との電磁結合で自タグの選択可の信号を受け取る発光タグ用アンテナ３０と、受け取った自タグの選択可の信号によりＲＦＩＤタグ１がリーダ／ライタ２により選択されたことを検知するタグ選択感知手段と、リーダ／ライタ２から照射された光を受光する受光手段と、受光した光を電気エネルギーに変換する光−電気変換手段と、ＲＦＩＤタグ１が自タグの選択可の信号を送信したとき、電気エネルギーを用いて発光する発光手段とを備えている。
【００５０】
図１は、本発明の実施例に係るＲＦＩＤタグ感知システムを示す構成図、図２は、本発明の実施例に係るＲＦＩＤタグ感知システムの構成を示すブロック図である。
ＲＦＩＤタグ感知システムＳは、図１に示すように、電源を内蔵しないパッシブ型のＲＦＩＤタグ１とリーダ／ライタ２と感知用発光タグ３とから構成されている。
【００５１】
ＲＦＩＤタグ１は、図１及び図２に示すように、リーダ／ライタ２からの送信電波の受信及びリーダ／ライタ２への反射電波の送信を行うＲＦＩＤタグ用アンテナ１０と、ＲＦＩＤタグ固有の識別情報を格納しているＲＦＩＤチップ１１とを備えている。
【００５２】
ＲＦＩＤタグ１は、リーダ／ライタ２からの送信電波に対して自タグの選択可／選択不可の信号を送信する。
【００５３】
リーダ／ライタ２は、図１及び図２に示すように、ＲＦＩＤタグ１への送信電波となるタグ選択電波の送信及びＲＦＩＤタグ１からの反射電波の受信を行うリーダ／ライタ用アンテナ２０と、ＲＦＩＤタグ１からのデータの読み出し及びＲＦＩＤタグ１へのデータの書き込みを行うリード／ライト部２１と、感知用発光タグ３にレーザ光を照射する光照射手段であるレーザ照射部２２と、レーザ光の照射を制御する光照射制御手段であるレーザ照射制御回路２３とを備えている。
【００５４】
感知用発光タグ３は、図１及び図２に示すように、ＲＦＩＤタグ１のＲＦＩＤタグ用アンテナ１０との電磁結合で自タグの選択可／選択不可の信号を受け取る発光タグ用アンテナ３０と、受け取った自タグの選択可／選択不可の信号によりＲＦＩＤタグ１がリーダ／ライタ２により選択されたこと又は選択されなかったことを検知するタグ選択感知手段であるタグ選択感知部３２と、リーダ／ライタ２のレーザ照射部２２から照射されたレーザ光を受光する受光手段である受光部３３と、受光したレーザ光を電気エネルギーに変換する光−電気変換手段である光−電気変換部３４と、ＲＦＩＤタグ１が自タグの選択可の信
号を送信したとき、電気エネルギーを用いて発光する発光手段である発光部３５と、発光部３５の発光を制御する発光制御手段である制御部３６とを備えている。
【００５５】
ＲＦＩＤタグ１と感知用発光タグ３とは、図１に示すように、分離することができる。
【００５６】
ＲＦＩＤタグ１のＲＦＩＤタグ用アンテナ１０と感知用発光タグ３の発光タグ用アンテナ３０とを重ね合わせることにより、ＲＦＩＤタグ１と感知用発光タグ３とが電磁結合されている。
【００５７】
ＲＦＩＤタグ１は、対象物となる製品に貼着される。
【００５８】
ＲＦＩＤタグ１のＲＦＩＤチップ１１には、ＲＦＩＤタグ固有の識別情報として製品を識別する製品識別情報を格納しても良い。
【００５９】
感知用発光タグ３は、発光タグ用アンテナ３０をＲＦＩＤタグ１のＲＦＩＤタグ用アンテナ１０に電磁結合して製品に貼着される。
【００６０】
図３は、本発明の実施例に係るＲＦＩＤタグ感知システムにおける感知用発光タグの発光の原理を説明する発光原理説明図である。
感知用発光タグ３は、図３に示すように、ＲＦＩＤタグ１のＲＦＩＤタグ用アンテナ１０に電磁結合した発光タグ用アンテナ３０より得られる信号をバッファして内部回路に伝えるための信号バッファ回路３７と、信号バッファ回路３７でバッファされた信号を復調する信号復調回路３８と、発光素子３１の発光の有無を判断する発光有無判断部３９と、発光素子３１の発光の制御信号を発生する制御信号発生部４０と、発光素子３１の電気回路の開閉を行うスイッチ４１と、リーダ／ライタ２が照射するレーザ光を電気エネルギーに変換する光−電気変換部３４としての光−電気変換素子４２と、この電気エネルギーを用いて発光する発光部３５としての発光素子３１とを備えている。
【００６１】
以下、感知用発光タグの発光の原理について図３を用いて説明する。
まず、感知用発光タグ３の信号バッファ回路３７は、ＲＦＩＤタグ１のＲＦＩＤタグ用アンテナ１０に電磁結合した発光タグ用アンテナ３０より得られる信号として自タグの選択可／選択不可の信号をバッファしてアンテナ回路と内部回路を電気的に分離すると共に、内部回路に信号を伝送する。
【００６２】
感知用発光タグ３の信号バッファ回路３７が、自タグの選択可の信号として図３に示すＲＦＩＤレスポンス有りの場合の波形のアナログ信号Ｓ１を信号復調回路３８に出力すると、信号復調回路３８がＲＦＩＤレスポンス有りの場合の波形のアナログ信号Ｓ１をデジタル信号Ｓ２に復調して、復調したデジタル信号Ｓ２を発光有無判断部３９に出力する。
【００６３】
次いで、発光有無判断部３９がデジタル信号Ｓ２から発光素子３１の発光有りと判断し、その後、制御信号発生部４０がデジタル信号Ｓ２に基づいて発光素子３１の発光を制御する制御信号Ｓ３を生成し、生成した制御信号Ｓ３をスイッチ４１に出力することにより、光−電気変換素子４２がレーザ光を変換した電気エネルギーを用いて制御信号Ｓ３の発光期間Ｔだけ発光素子３１を発光させることができる。
【００６４】
また、感知用発光タグ３の信号バッファ回路３７が、自タグの選択不可の信号として図３に示すＲＦＩＤレスポンス無しの場合の波形のアナログ信号Ｓ１１を信号復調回路３８に出力すると、信号復調回路３８がＲＦＩＤレスポンス無しの場合の波形のアナログ信号Ｓ１１をデジタル信号Ｓ１２に復調して、復調したデジタル信号Ｓ１２を発光有無判断部３９に出力する。
【００６５】
次いで、発光有無判断部３９がデジタル信号Ｓ１２から発光素子３１の発光無しと判断し、その後、制御信号発生部４０がデジタル信号Ｓ１２に基づいて発光素子３１の発光を制御する制御信号Ｓ１３を生成し、生成した制御信号Ｓ１３をスイッチ４１に出力するので、発光素子３１は発光しない。
【００６６】
図４は、本発明の実施例に係るＲＦＩＤタグ感知システムにおけるリーダ／ライタによるＲＦＩＤタグの選択状態を示す説明図である。
リーダ／ライタ２が、図４に示すように、複数のＲＦＩＤタグ１ａ，１ｂ，１ｃ，１ｄのレーザ光照射エリア５０にレーザ光を照射し、レーザ光を変換した電気エネルギーを用いて、選択されたＲＦＩＤタグ１ｃのＲＦＩＤタグ用アンテナに電磁結合した発光タグ用アンテナを持つ感知用発光タグ３の発光部３５のみを発光させる。
【００６７】
次に、本発明の実施例に係るＲＦＩＤタグ感知システムにおけるＲＦＩＤタグのリーダ／ライタによる選択時の処理について説明する。
まず、利用者が目視で感知したいＲＦＩＤタグ１をリーダ／ライタ２により選択すると、リーダ／ライタ２のリーダ／ライタ用アンテナ２０がＲＦＩＤタグ１へのタグ選択電波の送信及びＲＦＩＤタグ１からの反射電波の受信を行い、ＲＦＩＤタグ１がリーダ／ライタ２からの送信電波に対して自タグの選択可の信号を送信する。
【００６８】
また、リーダ／ライタ２のレーザ照射部２２が感知用発光タグ３にレーザ光を照射する。
【００６９】
そして、感知用発光タグ３の発光タグ用アンテナ３０がＲＦＩＤタグ１のＲＦＩＤタグ用アンテナ１０との電磁結合で自タグの選択可の信号を受け取ＲＦＩＤタグ用アンテナ１０に電磁結合した発光タグ用アンテナ３０より自タグの選択可／選択不可の信号を受け取り、感知用発光タグ３のタグ選択感知部３２が受け取った自タグの選択可／選択不可の信号によりＲＦＩＤタグ１がリーダ／ライタ２により選択されたこと又は選択されなかったことを検知する。
【００７０】
さらに、感知用発光タグ３の受光部３３がリーダ／ライタ２のレーザ照射部２２から照射されたレーザ光を受光すると、感知用発光タグ３の光−電気変換部３４が受光したレーザ光を電気エネルギーに変換し、ＲＦＩＤタグ１が自タグの選択可の信号を送信したとき、感知用発光タグ３の発光部３５がこの電気エネルギーを用いて発光し、感知用発光タグ３の制御部３６が発光部３５の発光の制御を行う。
【００７１】
感知用発光タグ３の発光部３５を発光させることにより、利用者がリーダ／ライタ２により選択されたＲＦＩＤタグ１を離れた所から目視で確実に特定することができる。
【００７２】
本発明のＲＦＩＤタグ感知システムは、ＲＦＩＤタグ１のアンテナ部（ＲＦＩＤタグ用アンテナ１０）と電磁結合しているアンテナ部（発光タグ用アンテナ３０）を持つ感知用発光タグ３を設け、この感知用発光タグ３にてＲＦＩＤタグ１がリーダ／ライタ２により
選択されてレスポンス状態になったことをアンテナ部（発光タグ用アンテナ３０）を通して感知用発光タグ３内のタグ選択感知部３２で検知すると共に、リーダ／ライタ２より感知用発光タグ３にレーザ光を照射し、このレーザ光を感知用発光タグ３内の光−電気変換部３４で電気エネルギーに変換させ、この電気エネルギーを用いて感知用発光タグ３の発光部３５を発光させて、ＲＦＩＤタグ１がリーダ／ライタ２により選択されたことを感知している。
【符号の説明】
【００７３】
１，１ａ，１ｂ，１ｃ，１ｄ  ＲＦＩＤタグ
２  リーダ／ライタ
３  感知用発光タグ
１０  ＲＦＩＤタグ用アンテナ
１１  ＲＦＩＤチップ
２０  リーダ／ライタ用アンテナ
２１  リード／ライト部
２２  レーザ照射部（光照射手段）
２３  レーザ照射制御回路（光照射制御手段）
３０  発光タグ用アンテナ
３１  発光素子
３２  タグ選択感知部（タグ選択感知手段）
３３  受光部（受光手段）
３４  光−電気変換部（光−電気変換手段）
３５  発光部（発光手段）
３６  制御部（発光制御手段）
３７  信号バッファ回路
３８  信号復調回路
３９  発光有無判断部
４０  制御信号発生部
４１  スイッチ
４２  光−電気変換素子
５０  レーザ光照射エリア
Ｓ  ＲＦＩＤタグ感知システム
Ｓ１  アナログ信号
Ｓ２  デジタル信号
Ｓ３  制御信号
Ｓ１１  アナログ信号
Ｓ１２  デジタル信号
Ｓ１３  制御信号
Ｔ  発光期間
【図１】
2010266470.tif 000003
【図２】
2010266470.tif 000004
【図３】
2010266470.tif 000005
【図４】
2010266470.tif 000006
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
固有の識別情報が格納されたＲＦＩＤチップを備えたＲＦＩＤタグがリーダ／ライタにより選択されたことを感知するＲＦＩＤタグ感知システムであって、
前記ＲＦＩＤタグは、前記リーダ／ライタからの送信電波を受信することにより、前記リーダ／ライタからの送信電波に対して該リーダ／ライタへの反射電波として自タグの選択可の信号を送信するＲＦＩＤタグ用アンテナを備え、
一方、前記リーダ／ライタは、前記ＲＦＩＤタグへのタグ選択電波の送信及び前記ＲＦＩＤタグからの反射電波の受信を行うリーダ／ライタ用アンテナを備えており、
さらに、前記受け取った自タグの選択可の信号を受信すると、前記ＲＦＩＤタグが前記リーダ／ライタにより選択されたことを感知して発光することにより、前記リーダ／ライタにて選択されたことを目視で感知可能とする発光部を備えたことを特徴とするＲＦＩＤタグ感知システム。
【手続補正２】
【補正対象書類名】明細書
【補正対象項目名】０００１
【補正方法】変更
【補正の内容】
【０００１】
本発明は、リーダ／ライタにより選択されたＲＦＩＤ（Ｒａｄｉｏ  Ｆｒｅｑｕｅｎｃｙ  Ｉｄｅｎｔｉｆｉｃａｔｉｏｎ）タグを目視で感知（読み取り識別）可能にするＲＦＩＤタグ感知システム及び感知用発光タグに関するものである。
【手続補正３】
【補正対象書類名】明細書
【補正対象項目名】０００８
【補正方法】変更
【補正の内容】
【０００８】
そこで、本発明の目的は、上記の事情に鑑みてなされたものであって、ＲＦＩＤタグがリーダ／ライタにより読み取られたとき、そのことを目視（読み取り識別）することが可能なシステムを提供することにある。
【手続補正４】
【補正対象書類名】明細書
【補正対象項目名】０００９
【補正方法】変更
【補正の内容】
【０００９】
本発明ＲＦＩＤタグ感知システムは、固有の識別情報が格納されたＲＦＩＤチップを備えたＲＦＩＤタグがリーダ／ライタにより選択されたことを感知するＲＦＩＤタグ感知システムであって、
前記ＲＦＩＤタグは、前記リーダ／ライタからの送信電波を受信することにより、前記リーダ／ライタからの送信電波に対して該リーダ／ライタへの反射電波として自タグの選択可の信号を送信するＲＦＩＤタグ用アンテナを備え、
一方、前記リーダ／ライタは、前記ＲＦＩＤタグへのタグ選択電波の送信及び前記ＲＦＩＤタグからの反射電波の受信を行うリーダ／ライタ用アンテナを備えており、
さらに、前記受け取った自タグの選択可の信号を受信すると、前記ＲＦＩＤタグが前記リーダ／ライタにより選択されたことを感知して発光することにより、前記リーダ／ライタにて選択されたことを目視で感知可能とする発光部を備えたことを特徴とするものである。
【手続補正５】
【補正対象書類名】明細書
【補正対象項目名】００２６
【補正方法】変更
【補正の内容】
【００２６】
以上に述べたように、本発明によれば、ＲＦＩＤタグがリーダ／ライタにより読み取られたとき、リーダ／ライタから光を発し、この光に基づきそのＲＦＩＤタグが読み取られたことを目視で識別することが可能である。